(57)【要約】【課題】  ２分割駆動を行う構成において、ソースドライバに対する信号の伝送タイミングの調整を容易に行えるようにする。【解決手段】  表示装置は、複数のデータ信号線の並び方向に左および右パネル部１１ａ，１１ｂが隣接し、各パネル部に対応してデータ信号線の並び方向に複数のソースドライバＳＤ11〜15，16〜20が設けられ、コントローラ１６から、各ソースドライバに対してデータ信号が並列に入力され、パネル部ごとに各１個のソースドライバにスタート信号が入力され、各パネル部ではスタート信号が入力されたソースドライバから隣のソースドライバに、対応するデータ信号の取り込み動作が移る。コントローラ１６は、スタート信号を両パネル部の境界部に最も近い両ソースドライバに入力し、少なくとも一方のパネル部のソースドライバに供給するデータ信号をデータの連続性が得られるように並べ替える。【選択図】  図１
2006047425.tif 000002
【特許請求の範囲】
【請求項１】
複数のデータ信号線の並び方向に第１表示領域と第２表示領域とが隣接して設けられ、これら各表示領域に対応して前記データ信号線の並び方向に複数の駆動回路が設けられ、制御回路から、前記各駆動回路に対してデータ信号が並列に入力される一方、前記表示領域ごとに各１個の駆動回路に対してスタート信号が入力され、各表示領域において前記スタート信号が入力された駆動回路から隣の駆動回路にそれら駆動回路に対応するデータ信号の取り込み動作が移って行く表示装置において、
前記制御回路は、前記スタート信号を前記の両表示領域の境界部に最も近い両駆動回路に対して入力するとともに、少なくとも一方の表示領域の駆動回路に供給する前記データ信号を、表示領域において他方の表示領域に供給するデータ信号との連続性が得られるように、データの並び順序を並べ替えて供給することを特徴とする表示装置。
【請求項２】
画像の左右を反転させて表示する左右反転表示が可能であり、前記制御回路は、この左右反転表示を行う場合に、画像の左右を反転させない正規表示を行う場合と同一の前記両駆動回路に対して前記スタート信号を入力するとともに、前記の両表示領域の駆動回路に供給する前記データ信号を、表示領域において他方の表示領域に供給するデータ信号との連続性が得られ、かつ左右反転表示となるように、データの並び順序を並べ替えて供給することを特徴とする請求項１に記載の表示装置。
【請求項３】
前記制御回路と前記の両表示領域の境界部に最も近い両駆動回路との間のみに、前記制御回路からこれら両駆動回路に前記スタート信号を供給するための信号線を設け、正規表示と左右反転表示とにおいてスタート信号を入力する駆動回路が異なる従来方式よりも制御信号線が1本以上少ないことを特徴とする請求項２に記載の表示装置。
【請求項４】
前記制御回路は、第１および第２表示領域に共通に使用されるものであり、前記データ信号線の形成方向において、両表示領域の前記スタート信号が入力される両駆動回路の少なくとも一方の一部と制御回路の一部とが重合する位置に設けられていることを特徴とする請求項１に記載の表示装置。
【請求項５】
前記の各駆動回路は、前記制御装置から入力した出力指示信号に基づいて、データ信号線に対して同時にデータ信号を出力することを特徴とする請求項１に記載の表示装置。
【請求項６】
複数のデータ信号線の並び方向に第１表示領域と第２表示領域とが隣接して設けられ、これら各表示領域に対応して前記データ信号線の並び方向に複数の駆動回路が設けられ、前記各駆動回路に対してデータ信号が並列に入力される一方、前記表示領域ごとに各１個の駆動回路に対してスタート信号が入力され、各表示領域において前記スタート信号が入力された駆動回路から隣の駆動回路にそれら駆動回路に対応するデータ信号の取り込み動作が移って行く表示装置の駆動方法において、
前記スタート信号を、前記の両表示領域の境界部に最も近い両駆動回路に対して入力するとともに、少なくとも一方の表示領域の駆動回路に供給する前記データ信号を、表示領域において他方の表示領域に供給するデータ信号との連続性が得られるように、データの並び順序を並べ替えて供給することを特徴とする表示装置の駆動方法。
【請求項７】
画像の左右を反転させて表示する左右反転表示を行う場合に、画像の左右を反転させない正規表示を行う場合と同一の前記両駆動回路に対して前記スタート信号を入力するとともに、前記の両表示領域の駆動回路に供給する前記データ信号を、表示領域において他方の表示領域に供給するデータ信号との連続性が得られ、かつ左右反転表示となるように、データの並び順序を並べ替えて供給することを特徴とする請求項６に記載の表示装置の駆動方法。
【請求項８】
前記制御回路と前記の両表示領域の境界部に最も近い両駆動回路との間のみに、前記制御回路からこれら両駆動回路に前記スタート信号を供給するための信号線を設け、正規表示と左右反転表示とにおいてスタート信号を入力する駆動回路が異なる従来方式よりも制御信号線が1本以上少ないことを特徴とする請求項７に記載の表示装置の駆動方法。
【発明の詳細な説明】
【技術分野】
【０００１】
本発明は、液晶表示装置を代表とするフラットパネルディスプレイ等の表示装置およびその駆動方法に関するものである。
【背景技術】
【０００２】
現在、テレビジョンセットやパーソナルコンピュータ等の表示装置には液晶表示装置等のフラットパネルディスプレイが使用されている。以下では、フラットパネルディスプレイを代表する液晶表示装置を例に従来の技術について説明する。なお、以下の説明において、データ１，データ２，データ３…とは、液晶表示パネルの１水平ラインの画素を左端から順次右端へ画素１，画素２，画素３…とした場合に、正規表示においてそれぞれ画素１，画素２，画素３…に書き込まれるべき表示データを示すものとする。
【０００３】
図１１はアクティブマトリクス型の液晶表示装置の模式図である。同図に示すように、液晶表示装置は、液晶表示パネル１０１を有し、この液晶表示パネル１０１には、複数のソースバスライン１０２と複数のゲートバスライン１０３とがマトリクス状に設けられている。各ソースバスライン１０２はソースドライバＳＤと接続され、各ゲートバスライン１０３はゲートドライバＧＤと接続されている。ソースドライバＳＤは、液晶表示パネル１０１のソースバスライン１０２の方向と直交する一辺に沿って設けられ、ゲートドライバＧＤはゲートバスライン１０３の方向と直交する一辺に沿って設けられている。ソースドライバＳＤおよびゲートドライバＧＤの動作は、コントローラ１０６から与えられる信号により制御される。
【０００４】
ソースバスライン１０２とゲートバスライン１０３との各交差部には、ＴＦＴ１０８が設けられている。ＴＦＴ１０８のソースはソースバスライン１０２と接続され、ゲートはゲートバスライン１０３と接続され、ドレインは絵素電極１０９と接続されている。絵素電極１０９は液晶容量Ｃｌｃを介して対向電極Ｃｏｍに接続されている。
【０００５】
このような液晶表示装置では、線順次駆動において、ソースドライバＳＤから各ソースバスライン１０２に同時にデータ信号が供給され、ゲートドライバＧＤによって各ゲートバスライン１０３が順次選択されて行く。したがって、選択された（選択期間の）ゲートバスライン１０３に接続されているＴＦＴ１０８がオンとなり、それらＴＦＴ１０８を介して絵素電極１０９にソースバスライン１０２のデータ信号が書き込まれる。書き込まれたデータ信号は次回にその絵素電極１０９にデータ信号が書き込まれるまで保持され、これにより液晶表示パネル１０１において所望の表示が行われる。
【０００６】
次に、上記の液晶表示装置におけるコントローラ１０６とソースドライバＳＤとの間の信号伝送方式について説明する。
【０００７】
図１２は、上記液晶表示パネル１０１が例えば水平解像度６４０ドット、即ち水平方向６４０画素の場合における液晶表示装置の構成を示している。なお、同図では、簡略化のためにゲートドライバＧＤを省略している。また、以下の説明において、各１個の画素は、ＲＧＢの合計３個の絵素により構成されるものとする。
【０００８】
同図に示すように、実際の液晶表示装置は、ソースドライバＳＤを複数個備えており、それらソースドライバＳＤにソースバスライン１０２を均等に振り分けて接続している。ここでは、５個のソースドライバＳＤ１０１〜１０５が設けられ、各ソースドライバＳＤ１０１〜ＳＤ１０５がそれぞれ３８４本のソースバスライン１０２と接続されているものとする。
【０００９】
コントローラ１０６からは、伝送クロック、表示データ（Ｄａｔａ）の他に、表示データのスタート位置を示すスタートパルスＳＰ（Start Pulse）、各ソースドライバＳＤ１０１〜ＳＤ１０５において表示データを一斉にラッチさせるためのラッチストローブＬＳ（Latch Strobe）、およびソースドライバＳＤ１０１〜ＳＤ１０５のスキャン方向を指示するスキャン方向信号ＤＩＲが出力される。
【００１０】
ソースドライバＳＤ１０１〜ＳＤ１０５は、例えば特許文献１に開示されているように、内部にフリップフロップを備え、このフリップフロップを介して表示データをソースバスライン１０２に出力している。上記伝送クロックは、上記フリップフロップの動作タイミングを設定するものであり、高精細表示を行う場合には上記伝送クロックの周波数が高められる。この点は以降に説明するソースドライバＳＤにおいても同様である。
【００１１】
上記の各信号のうち、スタートパルスＳＰだけは１個のソースドライバＳＤのみに入力され、それ以外の信号はバス接続により全てのソースドライバＳＤ１０１〜ＳＤ１０５に共通に入力される。即ち、スタートパルスＳＰは、コントローラ１０６から出力されて、液晶表示パネル１０１の一端に位置するソースドライバＳＤに入力され、順次各ソースドライバＳＤから次段のソースドライバＳＤへと出力される。その後、液晶表示パネル１０１の他端に位置するソースドライバＳＤから出力されたスタートパルスＳＰはコントローラ１０６に入力される。
【００１２】
上記のようなスタートパルスＳＰの供給動作は次の理由による。即ち、表示データはバス接続により全ソースドライバＳＤ１０１〜ＳＤ１０５に対して共通に伝送されるものの、各ソースドライバＳＤ１０１〜ＳＤ１０５では各ソースドライバＳＤ１０１〜ＳＤ１０５に対応する表示データのみを取り込む必要がある。そこで、各ソースドライバＳＤ１０１〜ＳＤ１０５に対応する表示データを識別するために、上記のようにスタートパルスＳＰが伝送される。
【００１３】
上記の点をさらに詳細に説明すると、ソースドライバＳＤ１０１はコントローラ１０６からのスタートパルスＳＰ（ＳＰ１）の入力直後より、コントローラ１０６から出力される表示データのうちから、必要な数の表示データ（最初の１２８画素分：画素１〜画素１２８分の表示データ）を取り込み、この取り込みが終わると次のソースドライバＳＤ１０２のためのスタートパルスＳＰ（ＳＰ１２）を出力する。ソースドライバＳＤ１０２は、同様に、スタートパルスＳＰの入力直後から次の１２８画素分（画素１２９〜画素２５６分）の表示データを取り込み、次のソースドライバＳＤ１０３のためのスタートパルスＳＰ（ＳＰ２３）を出力する。このようにして、順次ソースドライバＳＤ１０５まで表示データを取り込む。最後に、コントローラ１０６は、データラッチ用のラッチストローブＬＳを各ソースドライバＳＤ１０１〜ＳＤ１０５に出力し、ソースドライバＳＤ１０１〜ＳＤ１０５への１水平ライン分のデータ入力を完了する。各ソースドライバＳＤ１０１〜ＳＤ１０５は、ラッチストローブＬＳを入力した段階で、入力データに応じた電圧を液晶表示パネル１０１へ出力する。この動作を、水平ラインごとに繰り返し、液晶表示パネル１０１において１画面分の表示が行われる。
【００１４】
また、コントローラ１０６から各ソースドライバＳＤ１０１〜ＳＤ１０５に共通に入力されるスキャン方向信号ＤＩＲは、表示データの取り込み動作を行うソースドライバＳＤのシフト方向、即ちスキャン方向を指示する。上記の説明の場合、スキャン方向信号ＤＩＲは、左から右へのスキャン（ソースドライバＳＤ１０１からＳＤ１０５方向へのスキャン：ＤＩＲ＝Ｌ）を指示している。したがって、ソースドライバＳＤ１０１〜ＳＤ１０５の表示データ取込み動作はソースドライバＳＤ１０１からＤ１０５へシフトしていく。また、各水平ライン分の表示データは、データ１，データ２，…，データ６４０の並びにてソースドライバＳＤ１０１〜ＳＤ１０５に入力される。これにより、画像の左右が反転していない正規表示が行われる。
【００１５】
これに対し、左右反転表示を行う場合には、図１３に示すように、コントローラ１０６から出力されたスタートパルスＳＰは、正規表示の場合とは異なり、先ずソースドライバＳＤ１０５に入力され、ソースドライバＳＤ１０５から次のソースドライバＳＤ１０４へ、このソースドライバＳＤ１０４から次のソースドライバＳＤ１０３へと順次出力され、ソースドライバＳＤ１０１から出力されたスタートパルスＳＰがコントローラ１０６に入力される。また、スキャン方向信号ＤＩＲは右から左へのスキャン（ソースドライバＳＤ１０５からＳＤ１０１方向へのスキャン：ＤＩＲ＝Ｈ）指示する。したがって、ソースドライバＳＤ１０１〜ＳＤ１０５の表示データ取込み動作は、正規表示の場合とは逆に、ソースドライバＳＤ１０５からＤ１０１へシフトしていく。また、各水平ライン分の表示データは、正規表示の場合と同様、データ１，データ２，…，データ６４０の並びにてソースドライバＳＤ１０１〜ＳＤ１０５に入力される。これにより、正常な左右反転画像表示が行われる。
【００１６】
上記のように、左右反転機能を有する従来の液晶表示装置は、液晶表示パネル１０１の左右両端のソースドライバＳＤ１０１，ＳＤ１０５の何れに対してもスタートパルスＳＰを入力できるように構成されている。
【００１７】
なお、左右反転表示は、液晶表示装置の表示画面を鏡に映して見るような用途、あるいは、液晶表示装置の例えば上下方向の視角特性が異なる場合において何れかの視角特性を使用するために、液晶表示装置を通常の設定に対して上下逆転させて使用する用途等において利用させる。
【００１８】
ここで、大型の液晶表示装置では、図１４に示すように、通常、画面を左右に２分割して２ポート入力にて駆動される。例えば１水平ラインに１２８０画素を有する液晶表示装置では、１水平ラインにおいて６４０（１〜６４０）画素を有する左画面と６４０（６４１〜１２８０）画素を有する右画面との２画面に画面が分割され、これら２画面がそれぞれの画面用の信号にて同時に駆動される。
【００１９】
具体的には、図１４に示す液晶表示装置は、液晶表示パネル１１１を有し、左画面に対応する左パネル部１１１ａにソースドライバＳＤ１１１〜ＳＤ１１５が設けられ、右画面に対応する右パネル部１１１ｂにソースドライバＳＤ１１６〜ＳＤ１２０が設けられている。
【００２０】
このような液晶表示装置において、正規表示の場合には、コントローラ１１６から左パネル部１１１ａ、右パネル部１１１ｂそれぞれの左端に位置するソースドライバＳＤ１１１，ＳＤ１１６に対してスタートパルスＳＰ（ＳＰ１，ＳＰ６）が入力される。このスタートパルスＳＰに基づいてソースドライバＳＤ１１１，ＳＤ１１６は、コントローラ１１６から入力される表示データのうち、それぞれ画素１〜画素１２８分の表示データ，画素６４１〜画素７６８分の表示データを取り込み、この取り込みが終わると次のソースドライバＳＤ１１２，ＳＤ１１７のためのスタートパルスＳＰ（ＳＰ１２，ＳＰ６７）を出力する。以降、同様にして各ソースドライバＳＤでの表示データの取り込みが行われていき、ソースドライバＳＤ１１１〜ＳＤ１２０による１水平ライン分のデータ入力を完了する。この動作を、水平ラインごとに繰り返し、液晶表示パネル１１１において１画面分の表示が行われる。
【００２１】
上記動作において、コントローラ１１６から各ソースドライバＳＤ１１１〜ＳＤ１２０に共通に入力されるスキャン方向信号ＤＩＲは、左から右へのスキャン（ＤＩＲ＝Ｌ）を指示している。また、各水平ライン分の表示データは、データ１，データ２，…，データ６４０およびデータ６４１，データ６４２，…，データ１２８０の並びにてそれぞれソースドライバＳＤ１１１〜ＳＤ１１５，ＳＤ１１６〜ＳＤ１２０に入力される。これにより、画像の左右が反転していない正規表示が行われる。
【００２２】
上記動作についての各信号のタイミングチャートを図１５に示す。同図において、ＣＫＬは左パネル部１１１ａのソースドライバＳＤ１１１〜ＳＤ１１５に入力される伝送クロック、ＳＰ１はコントローラ１１６からソースドライバＳＤ１１１に入力されるスタートパルスＳＰ、ＤａｔａＬはコントローラ１１６から左パネル部１１１ａのソースドライバＳＤ１１１〜ＳＤ１１５に入力される表示データ、ＬＳＬはコントローラ１１６から左パネル部１１１ａのソースドライバＳＤ１１１〜ＳＤ１１５に入力されるラッチストローブＬＳである。同様に、ＣＫＲは右パネル部１１１ｂのソースドライバＳＤ１１６〜ＳＤ１２０に入力される伝送クロック、ＳＰ６はコントローラ１１６からソースドライバＳＤ１１６に入力されるスタートパルスＳＰ、ＤａｔａＲはコントローラ１１６から右パネル部１１１ｂのソースドライバＳＤ１１６〜ＳＤ１２０に入力される表示データ、ＬＳＲはコントローラ１１６から右パネル部１１１ｂのソースドライバＳＤ１１６〜ＳＤ１２０に入力されるラッチストローブＬＳである。
【００２３】
これに対し、左右反転表示を行う場合には、図１６に示すように、コントローラ１１６から出力されたスタートパルスＳＰ（ＳＰ５，ＳＰ１０）は、正規表示の場合とは異なり、左パネル部１１１ａ、右パネル部１１１ｂそれぞれの右端に位置するソースドライバＳＤ１１５，ＳＤ１２０に入力される。その後、ソースドライバＳＤ１１５，ＳＤ１２０から次のソースドライバＳＤ１１４，ＳＤ１１９へと順次出力される。また、スキャン方向信号ＤＩＲは右から左へのスキャン（ＤＩＲ＝Ｈ）指示する。したがって、ソースドライバＳＤ１１１〜ＳＤ１１５，ＳＤ１１６〜ＳＤ１２０の表示データ取込み動作は、正規表示の場合とは逆に、ソースドライバＳＤ１１５，ＳＤ１２０からＤ１１１，ＳＤ１１６へシフトしていく。また、各水平ライン分の表示データは、正規表示の場合と同様、データ１，データ２，…，データ６４０およびデータ６４１，データ６４２，…，データ１２８０の並びにてそれぞれソースドライバＳＤ１１１〜ＳＤ１１５，ＳＤ１１６〜ＳＤ１２０に入力される。これにより、正常な左右反転画像表示が行われる。
【００２４】
上記動作についての各信号のタイミングチャートを図１７に示す。なお、同図において、各信号を示す符号が意味するところは前述のとおりである。
【特許文献１】特開平５−３５２０１（平成５年２月１２日公開）
【特許文献２】特開平５−３５２２１（平成５年２月１２日公開）
【発明の開示】
【発明が解決しようとする課題】
【００２５】
図１４に示した液晶表示装置において、ソースドライバＳＤ１１１，ＳＤ１１６への入力は、伝送クロックとスタートパルスＳＰ（ＳＰ１，ＳＰ６）との位相関係が重要であり、ソースドライバＳＤ１１５，ＳＤ１２０への入力は、伝送クロックとスタートパルスＳＰ（ＳＰ５，ＳＰ１０）との位相関係が重要である。
【００２６】
ここで、伝送クロックは、前述のように、バス接続により全ソースドライバＳＤ１１１〜ＳＤ１１５，ＳＤ１１６〜ＳＤ１２０に対して共通に入力される。一方、スタートパルスＳＰは、ソースドライバＳＤ１１１，ＳＤ１１６（正規表示）またはソースドライバＳＤ１１５，ＳＤ１２０（左右反転表示）に入力された後、順次次段のソースドライバＳＤへ入力されていく。このように、伝送クロックとスタートパルスＳＰとの伝送条件は異なっており、両者の位相は、伝送路負荷が少ない分、伝送クロックに対してスタートパルスＳＰが先行することになる。
【００２７】
この状態を図１８および図１９により説明する。図１８は、図１２に示した液晶表示装置において、正規表示を行う場合におけるソースドライバＳＤ１０１に入力された伝送クロックとスタートパルスＳＰ（ＳＰ１）との位相関係を示している。この位相関係は、図１４に示した液晶表示装置において、正規表示を行う場合のソースドライバＳＤ１１６または左右反転表示を行う場合（図１６の状態）のソースドライバＳＤ１１５に入力される伝送クロックとスタートパルスＳＰとの位相関係に相当する。また、図１９は、図１２に示した液晶表示装置において、左右反転表示を行う場合（図１３の状態）におけるソースドライバＳＤ１０１に入力された伝送クロックとスタートパルスＳＰ（ＳＰ５）との位相関係を示している。この位相関係は、図１４に示した液晶表示装置において、正規表示を行う場合のソースドライバＳＤ１１１または左右反転表示を行う場合（図１６の状態）のソースドライバＳＤ１２０に入力される伝送クロックとスタートパルスＳＰとの位相関係に相当する。
【００２８】
図１８の状態において、伝送クロックとスタートパルスＳＰとの位相関係は適正であり、ソースドライバＳＤを構成するフリップフロップにおけるＴsetup１の期間とＴhold１の期間とのバランスが適正に保たれる。一方、図１９の状態において、伝送クロックとスタートパルスＳＰとの位相関係は伝送クロックに対してスタートパルスＳＰが先行するため、Ｔsetup５の期間とＴhold５の期間とのバランスが崩れ、Ｔhold５の期間が短くなる。なお、ＴsetupおよびＴholdはフリップフロップがデータの取り込み動作を行うときのタイミング条件を示すものであり、それぞれについて所定の期間を確保できなければ、動作が保証されなくなる。
【００２９】
図１２に示した２分割駆動（左右分割駆動）を行わない液晶表示装置では、左右反転機能を付与する場合に、ソースドライバＳＤ１０１とソースドライバＳＤ１０５との両者において伝送クロックとスタートパルスＳＰとの位相差を適正にしなければならない。また、図１４に示した２分割駆動を行う液晶表示装置では、左右反転機能を付与しない場合（正規表示を行う場合）であっても、ソースドライバＳＤ１１１とソースドライバＳＤ１１６との両者において伝送クロックとスタートパルスＳＰとの位相差を適正にしなければならない。即ち、液晶表示装置では、上記位相差のずれが大きいほど、ソースドライバＳＤにおける伝送クロックとスタートパルスＳＰとの伝送タイミングのマージンが少なくなる。
【００３０】
一方、図１９に示したような図１８の適正状態からの位相差のずれは、信号の伝送距離が長くなるほど大きくなり、この結果、タイミング調整が難しくなり、伝送周波数が制限されることになる。そして、この問題は、信号の伝送距離が長くなる大型の液晶表示装置ほど、また伝送周波数が高い高精細表示の液晶表示装置ほど顕著になる。
【００３１】
具体的には、２分割駆動を行う図１４に示した液晶表示装置において、信号の伝送距離は、正規表示の場合、ソースドライバＳＤ１１６が最短であり、ソースドライバＳＤ１１１が最長となる。したがって、ソースドライバＳＤ１１１において伝送クロックとスタートパルスＳＰとのタイミング調整が厳しくなる。また、左右反転表示の場合、ソースドライバＳＤ１１５が最短であり、ソースドライバＳＤ１２０が最長となる。したがって、ソースドライバＳＤ１２０において伝送クロックとスタートパルスＳＰとのタイミング調整が厳しくなる。このように、図１４に示した２分割駆動を行う液晶表示装置では、伝送距離が最短のソースドライバＳＤと最長のソースドライバとにＳＤコントローラ１１６から最初にスタートパルスＳＰを入力する構成であるため、伝送クロックとスタートパルスＳＰの伝送タイミングの調整が難しくなっている。
【００３２】
なお、特許文献２には、点順次駆動を行う構成であって、表示画面の２分割駆動を行う場合に、隣り合う表示領域に縦線が発生するのを防止するための技術が記載されている。この特許文献２に記載の構成では、データ信号線へのデータ信号の出力動作が両端に位置する駆動回路から順次中央側に位置する駆動回路に移っていくようになっている。しかしながら、この特許文献２には、スタートパルスＳＰについて明記されておらず、スタートパルスＳＰの遅延による問題についても言及されていない。したがって、特許文献２は何ら上記の問題を解決するものではない。
【００３３】
したがって、本発明は、２分割駆動を行う構成において、ソースドライバＳＤに対する信号の伝送タイミングの調整を容易に行うことができる表示装置およびその駆動方法の提供を目的としている。
【課題を解決するための手段】
【００３４】
本発明の表示装置は、複数のデータ信号線の並び方向に第１表示領域と第２表示領域とが隣接して設けられ、これら各表示領域に対応して前記データ信号線の並び方向に複数の駆動回路が設けられ、制御回路から、前記各駆動回路に対してデータ信号が並列に入力される（例えば順次１水平ライン分のデータ信号が並列に入力される）一方、前記表示領域ごとに各１個の駆動回路に対してスタート信号が入力され、各表示領域において前記スタート信号が入力された駆動回路から隣の駆動回路にそれら駆動回路に対応するデータ信号の取り込み動作が移って行く表示装置において、前記制御回路は、前記スタート信号を前記の両表示領域の境界部に最も近い両駆動回路に対して入力するとともに、少なくとも一方の表示領域の駆動回路に供給する前記データ信号を、表示領域において他方の表示領域に供給するデータ信号との連続性が得られるように、データの並び順序を並べ替えて供給することを特徴としている。
【００３５】
また、本発明の表示装置の駆動方法は、複数のデータ信号線の並び方向に第１表示領域と第２表示領域とが隣接して設けられ、これら各表示領域に対応して前記データ信号線の並び方向に複数の駆動回路が設けられ、前記各駆動回路に対してデータ信号が並列に入力される一方、前記表示領域ごとに各１個の駆動回路に対してスタート信号が入力され、各表示領域において前記スタート信号が入力された駆動回路から隣の駆動回路にそれら駆動回路に対応するデータ信号の取り込み動作が移って行く表示装置の駆動方法において、前記スタート信号を前記の両表示領域の境界部に最も近い両駆動回路に対して入力するとともに、少なくとも一方の表示領域の駆動回路に供給する前記データ信号を、表示領域において他方の表示領域に供給するデータ信号との連続性が得られるように、データの並び順序を並べ替えて供給することを特徴としている。
【００３６】
上記の構成によれば、制御回路からは、第１表示領域と第２表示領域との境界部に最も近い第１表示領域の駆動回路と第２表示領域の駆動回路とにスタート信号が入力される。例えば、第１表示領域と第２表示領域とが左右に隣り合って存在する場合には、左側の第１表示領域の右端に位置する駆動回路と右側の第２表示領域の左端に位置する駆動回路とにスタート信号が入力される。スタート信号が入力されると、各表示領域においてスタート信号が入力された駆動回路から隣の駆動回路にそれら駆動回路に対応するデータ信号の取り込み動作が移って行く。即ち、左側の第１表示領域では右端に位置する駆動回路が先ずデータ信号の取り込み動作を行い、この動作が順次左側に位置する駆動回路に移って行く。同様に、右側の第２表示領域では左端に位置する駆動回路が先ずデータ信号の取り込み動作を行い、この動作が順次右側に位置する駆動回路に移って行く。
【００３７】
また、制御回路は、少なくとも一方の表示領域の駆動回路に供給するデータ信号を、表示領域において他方の表示領域に供給するデータ信号との連続性が得られるように、データの並び順序を並べ替えて供給する。例えば、第１表示領域と第２表示領域とが左右に隣り合って存在する場合において、画像の左右を反転させない正規表示を行う場合、制御回路は、左側の第１表示領域の駆動回路に供給するデータ信号のデータの並び順序を、逆向きに並べ替えて供給する。これにより、上記の両駆動回路からデータ信号の取り込み動作を開始した場合であっても、正規表示を正常に行うことができる。
【００３８】
ここで、スタート信号は、第１表示領域と第２表示領域との境界部に最も近い第１表示領域の駆動回路と第２表示領域の駆動回路、即ち中央部の隣り合う両駆動回路に入力されるので、両駆動回路に対して共に最短の伝送距離にてスタート信号を入力可能である。したがって、スタート信号の遅延量を抑制することができる。また、両駆動回路に入力されるスタート信号の遅延量を同一にすることができる。したがって、それら駆動回路に入力される他の制御信号とスタート信号との位相調整が容易となる。即ち、２分割駆動を行う構成において、駆動回路に対する信号の伝送タイミングの調整が容易になる。
【００３９】
上記の表示装置は、画像の左右を反転させて表示する左右反転表示が可能であり、前記制御回路は、この左右反転表示を行う場合に、画像の左右を反転させない正規表示を行う場合と同一の前記両駆動回路に対して前記スタート信号を入力するとともに、前記の両表示領域の駆動回路に供給する前記データ信号を、表示領域において他方の表示領域に供給するデータ信号との連続性が得られ、かつ左右反転表示となるように、データの並び順序を並べ替えて供給する構成としてもよい。
【００４０】
また、上記の表示装置の駆動方法は、画像の左右を反転させて表示する左右反転表示を行う場合に、画像の左右を反転させない正規表示を行う場合と同一の前記両駆動回路に対して前記スタート信号を入力するとともに、前記の両表示領域の駆動回路に供給する前記データ信号を、表示領域において他方の表示領域に供給するデータ信号との連続性が得られ、かつ左右反転表示となるように、データの並び順序を並べ替えて供給する構成としてもよい。
【００４１】
この場合、上記の表示装置および上記の表示装置の駆動方法は、前記制御回路と前記の両表示領域の境界部に最も近い両駆動回路との間のみに、前記制御回路からこれら両駆動回路に前記スタート信号を供給するための信号線を設け、正規表示と左右反転表示とにおいてスタート信号を入力する駆動回路が異なる従来方式よりも制御信号線が1本以上少ない構成とすることができる。
【００４２】
上記の構成によれば、正規表示と左右反転表示とにおいてスタート信号を入力する駆動回路が同一であるので、正規表示と左右反転表示とにおいて信号を入力する駆動回路が異なる従来の構成と比較して、スタート信号伝送のための信号線の本数を1本以上（例えば２本）削減することができる。これにより、制御回路基板と駆動回路基板（例えばソース基板）との接続コネクタピン数が減らせ、さらに駆動回路基板の配線領域が節約でき、コストダウンが可能となる。また、正規表示と左右反転表示とにおいて、スタート信号を入力する駆動回路が同一であり、かつデータ信号の取り込み動作を行う各駆動回路の動作順序が一定であるので、この動作順序を指示する信号を各駆動回路に入力することが不要となる。
【００４３】
上記の表示装置において、前記制御回路は、第１および第２表示領域に共通に使用されるものであり、前記データ信号線の形成方向において、両表示領域の前記スタート信号が入力される両駆動回路の少なくとも一方の一部と制御回路の一部とが重合する位置に設けられている構成としてもよい。
【００４４】
上記の構成によれば、制御回路がスタート信号を入力する両駆動回路に対して非常に近い位置に配置されるので、スタート信号の伝送距離を短くする上において好適である。
【００４５】
上記の表示装置において、前記の各駆動回路は、前記制御装置から入力した出力指示信号に基づいて、データ信号線に対して同時にデータ信号を出力する構成、即ち線順次駆動を行う構成である。
【発明の効果】
【００４６】
以上のように、本発明の表示装置は、前記制御回路が、前記スタート信号を前記の両表示領域の境界部に最も近い両駆動回路に対して入力するとともに、少なくとも一方の表示領域の駆動回路に供給する前記データ信号を、表示領域において他方の表示領域に供給するデータ信号との連続性が得られるように、データの並び順序を並べ替えて供給する構成である。
【００４７】
また、本発明の表示装置の駆動方法は、前記スタート信号を前記の両表示領域の境界部に最も近い両駆動回路に対して入力するとともに、少なくとも一方の表示領域の駆動回路に供給する前記データ信号を、表示領域において他方の表示領域に供給するデータ信号との連続性が得られるように、データの並び順序を並べ替えて供給する構成である。
【００４８】
これにより、第１表示領域と第２表示領域との境界部に最も近い第１表示領域の駆動回路と第２表示領域の駆動回路に対して共に最短の伝送距離にてスタート信号を入力可能である。したがって、スタート信号の遅延量を抑制することができる。また、両駆動回路に入力されるスタート信号の遅延量を同一にすることができる。したがって、それら駆動回路に入力される他の制御信号とスタート信号との位相調整が容易となる。即ち、２分割駆動を行う構成において、駆動回路に対する信号の伝送タイミングの調整が容易になる。
【発明を実施するための最良の形態】
【００４９】
本発明の一実施形態を図面に基づいて以下に説明する。
本実施の形態では、アクティブマトリクス型の液晶表示装置（以下、単に液晶表示装置と称する）を例として本発明の表示装置について説明する。この液晶表示装置は、先述の図１１の模式図に示した構成を有する。
【００５０】
まず、本実施の形態の液晶表示装置の原理について図２から図５に基づいて説明する。
図２は、２分割駆動を行わない液晶表示装置である。この液晶表示装置が備える液晶表示パネル１は、例えば水平解像度６４０ドット、即ち水平方向６４０画素のものである。なお、図２では、簡略化のためにゲートドライバを省略している。
【００５１】
同図に示すように、液晶表示装置は、ソースドライバＳＤを複数個備えており、それらソースドライバＳＤにソースバスラインを均等に振り分けて接続している。ここでは、５個のソースドライバＳＤ１〜ＳＤ５が設けられ、各ソースドライバＳＤ１〜ＳＤ５がそれぞれ１２８本のソースバスラインと接続されているものとする。
【００５２】
コントローラ６からは、伝送クロック、表示データ（Ｄａｔａ）の他に、表示データのスタート位置を示すスタートパルスＳＰ（Start Pulse）、各ソースドライバＳＤ１〜ＳＤ５において表示データを一斉にラッチさせるためのラッチストローブＬＳ（Latch Strobe）、およびソースドライバＳＤ１〜ＳＤ５のスキャン方向を示すスキャン方向信号ＤＩＲが出力される。上記伝送クロックは、ソースバスラインへの表示データ（データ信号）の出力タイミングを設定する制御信号としての機能を有する。
【００５３】
ソースドライバＳＤ１は、コントローラ６からのスタートパルスＳＰ（ＳＰ１）の入力直後より、コントローラ６から出力される表示データのうちから、必要な数の表示データ（最初の１２８画素分：画素１〜画素１２８分の表示データ）を取り込み、この取り込みが終わると次のソースドライバＳＤ２のためのスタートパルスＳＰ（ＳＰ１２）を出力する。ソースドライバＳＤ２は、同様に、スタートパルスＳＰの入力直後から次の１２８画素分（画素１２９〜画素２５６分）の表示データを取り込み、次のソースドライバＳＤ３のためのスタートパルスＳＰ（ＳＰ２３）を出力する。このようにして、順次ソースドライバＳＤ１０５まで表示データを取り込む。最後に、コントローラ６は、データラッチ用のラッチストローブＬＳを各ソースドライバＳＤ１〜ＳＤ５に出力し、ソースドライバＳＤ１〜ＳＤ５への１水平ライン分のデータ入力を完了する。各ソースドライバＳＤ１〜ＳＤ５は、ラッチストローブＬＳを入力した段階で、入力データに応じた電圧を液晶表示パネル１へ出力する。この動作を、水平ラインごとに繰り返し、液晶表示パネル１において１画面分の表示が行われる。
【００５４】
また、コントローラ６から各ソースドライバＳＤ１〜ＳＤ５に共通に入力されるスキャン方向信号ＤＩＲは、左から右へのスキャン（ソースドライバＳＤ１からＳＤ５方向へのスキャン：ＤＩＲ＝Ｌ）を指示している。したがって、ソースドライバＳＤ１〜ＳＤ５の表示データ取込み動作はソースドライバＳＤ１からＤ５へシフトして行く。また、各水平ライン分の表示データは、データ１，データ２，…，データ６４０の並びにてソースドライバＳＤ１〜ＳＤ５に入力される。これにより、画像の左右が反転していない正規表示が行われる。
【００５５】
また、左右反転表示を行う場合、図３に示すように、コントローラ６から出力されたスタートパルスＳＰは、正規表示の場合と同様、先ずソースドライバＳＤ１に入力され、以降は正規表示の場合と同様にして、順次次段のソースドライバＳＤへ出力されていく。
【００５６】
また、スキャン方向信号ＤＩＲは、正規表示の場合と同様、左から右へのスキャン（ソースドライバＳＤ１からＳＤ５方向へのスキャン：ＤＩＲ＝Ｌ）を指示する。したがって、ソースドライバＳＤ１〜ＳＤ５の表示データ取込み動作は、正規表示の場合と同様に、ソースドライバＳＤ１からＳＤ５へシフトして行く。一方、各水平ライン分の表示データは、正規表示の場合とは逆の、データ６４０，データ６３９，…，データ１の並びとなってソースドライバＳＤ１〜ＳＤ５に入力される。これにより、正常な左右反転画像表示が行われる。
【００５７】
上記の構成では、正規表示と左右反転表示との何れの場合においても、コントローラ６から最短の距離に位置する同一のソースドライバＳＤ１に対して、コントローラ６からスタートパルスＳＰが入力される。
【００５８】
上記の状態を図４および図５により説明する。図４および図５は、それぞれ図２に示した液晶表示装置において、正規表示を行う場合および左右反転表示を行う場合（図３の状態）におけるソースドライバＳＤ１に入力された伝送クロックとスタートパルスＳＰ（ＳＰ１）との位相関係を示している。
【００５９】
正規表示を行う図４の状態において、伝送クロックとスタートパルスＳＰとの位相関係は適正であり、ソースドライバＳＤを構成するフリップフロップにおけるＴsetup１の期間とＴhold１の期間とのバランスが適正に保たれる。また、表示データは、データ１，データ２，…，データ６４０の並びにて各ソースドライバＳＤ１〜ＳＤ５に入力される。
【００６０】
また、左右反転表示を行う図５の状態において、同様に、伝送クロックとスタートパルスＳＰとの位相関係は適正であり、ソースドライバＳＤを構成するフリップフロップにおけるＴsetup１の期間とＴhold１の期間とのバランスが適正に保たれる。一方、表示データは、正規表示の場合とは逆の、データ６４０，データ６３９，…，データ１の並びにてソースドライバＳＤ１〜ＳＤ５に入力される。
【００６１】
このように、上記の構成では、正規表示と左右反転表示との何れの場合にも、コントローラ６から伝送クロックとスタートパルスＳＰとを伝送する場合の両者の伝送タイミング調整が容易となる。これは、正規表示および左右反転表示の何れの場合にも、コントローラ６から最短の距離に位置する同一のソースドライバＳＤ１に対して、コントローラ６からスタートパルスＳＰを入力していることによる。
【００６２】
次に、本実施の形態の液晶表示装置について説明する。本実施の形態の液晶表示装置は、図１に示すように、画面を左右に２分割して２ポート入力にて駆動される。この液晶表示装置は、１水平ラインが例えば左端から右端に１２８０画素（画素１，画素２，…画素１２８０）を有する構成であり、１水平ラインにおいて画面が６４０画素（画素１〜画素６４０）を有する左画面と６４０画素（画素６４１〜画素１２８０）を有する右画面との２画面に分割され、これら２画面がそれぞれの画面用の信号にて同時に駆動される。
【００６３】
具体的には、図１に示す液晶表示装置は、液晶表示パネル１１を有し、左画面に対応する左パネル部（第１表示領域）１１ａにはソースドライバ（駆動回路）ＳＤ１１〜ＳＤ１５が設けられ、右画面に対応する右パネル部（第２表示領域）１１ｂにはソースドライバ（駆動回路）ＳＤ１６〜ＳＤ２０が設けられている。
【００６４】
このような液晶表示装置において、正規表示の場合には、コントローラ（制御回路）１６から、左パネル部１１ａと右パネル部１１ｂとにおいて、左パネル部１１ａと右パネル部１１ｂとの境界に最も近い場所に位置するソースドライバＳＤ１５，ＳＤ１６に対してスタートパルスＳＰ（ＳＰ５，ＳＰ６）が入力される。その後、左パネル部１１ａにおいて、ソースドライバＳＤ１１〜ＳＤ１５における画像データの取り込み動作は、右端のソースドライバＳＤ１５から順次左側のソースドライバＳＤへとシフトして行く。また、右パネル部１１ｂにおいて、ソースドライバＳＤ１６〜ＳＤ２０における画像データの取り込み動作は、左端のソースドライバＳＤ１６から順次右側のソースドライバＳＤへとシフトして行く。
【００６５】
即ち、ソースドライバＳＤ１５，ＳＤ１６は、スタートパルスＳＰに基づいて、コントローラ１６から入力される表示データのうち、それぞれ画素６４０〜画素５１２（１２８画素）分の表示データ，画素６４１〜画素７６８（１２８画素）分の表示データを取り込み、この取り込みが終わると次のソースドライバＳＤ１４，ＳＤ１７のためのスタートパルスＳＰ（ＳＰ４５，ＳＰ６７）を出力する。以降、同様にして各ソースドライバＳＤでの表示データの取り込みが行われて行き、ソースドライバＳＤ１１〜ＳＤ２０による１水平ライン分のデータ入力を完了する。この動作を、水平ラインごとに繰り返し、液晶表示パネル１１において１画面分の表示が行われる。
【００６６】
上記動作において、コントローラ１６から左パネル部１１ａの各ソースドライバＳＤ１１〜ＳＤ１５に共通に入力されるスキャン方向信号ＤＩＲＬは、右から左へのスキャン（ＤＩＲＬ＝Ｈ）を指示し、コントローラ１６から右パネル部１１ｂの各ソースドライバＳＤ１６〜ＳＤ２０に共通に入力されるスキャン方向信号ＤＩＲＲは、左から右へのスキャン（ＤＩＲＲ＝Ｌ）を指示している。
【００６７】
また、左パネル部１１ａの各水平ライン分の表示データは、データ６４０，データ６３９，…，データ１の並びにて（図６参照）ソースドライバＳＤ１１〜ＳＤ１５に入力され、右パネル部１１ｂの各水平ライン分の表示データは、データ６４１，データ６４２，…，データ１２８０の並びにて（図６参照）ソースドライバＳＤ１６〜ＳＤ２０に入力される。これにより、画像の左右が反転していない正規表示が行われる。
【００６８】
上記の正規表示動作についての各信号のタイミングチャートを図６に示す。同図において、ＣＫＬは左パネル部１１ａのソースドライバＳＤ１１〜ＳＤ１５に入力される伝送クロック、ＳＰ５はコントローラ１６からソースドライバＳＤ１５に入力されるスタートパルスＳＰ、ＤａｔａＬはコントローラ１６から左パネル部１１ａのソースドライバＳＤ１１〜ＳＤ１５に入力される表示データ、ＬＳＬはコントローラ１６から左パネル部１１ａのソースドライバＳＤ１１〜ＳＤ１５に入力されるラッチストローブＬＳである。同様に、ＣＫＲは右パネル部１１ｂのソースドライバＳＤ１６〜ＳＤ２０に入力される伝送クロック、ＳＰ６はコントローラ１６からソースドライバＳＤ１６に入力されるスタートパルスＳＰ、ＤａｔａＲはコントローラ１６から右パネル部１１ｂのソースドライバＳＤ１６〜ＳＤ２０に入力される表示データ、ＬＳＲはコントローラ１６から右パネル部１１ｂのソースドライバＳＤ１６〜ＳＤ２０に入力されるラッチストローブＬＳである。
【００６９】
左右反転表示の場合には、図７に示すように、正規表示の場合と同様、コントローラ１６から左パネル部１１ａと右パネル部１１ｂとのソースドライバＳＤ１５，ＳＤ１６に対してスタートパルスＳＰ（ＳＰ５，ＳＰ６）が入力される。その後、左パネル部１１ａにおいて、ソースドライバＳＤ１１〜ＳＤ１５における画像データの取り込み動作は、右端のソースドライバＳＤ１５から順次左側のソースドライバＳＤへとシフトして行く。また、右パネル部１１ｂにおいて、ソースドライバＳＤ１６〜ＳＤ２０における画像データの取り込み動作は、左端のソースドライバＳＤ１６から順次右側のソースドライバＳＤへとシフトして行く。
【００７０】
即ち、ソースドライバＳＤ１５，ＳＤ１６は、スタートパルスＳＰに基づいて、コントローラ１６から入力される表示データのうち、それぞれ画素６４０〜画素５１２（１２８画素）分の表示データ，画素６４１〜画素７６８（１２８画素）分の表示データを取り込み、この取り込みが終わると次のソースドライバＳＤ１４，ＳＤ１７のためのスタートパルスＳＰ（ＳＰ４５，ＳＰ６７）を出力する。以降、同様にして各ソースドライバＳＤでの表示データの取り込みが行われて行き、ソースドライバＳＤ１１〜ＳＤ２０による１水平ライン分のデータ入力を完了する。この動作を、水平ラインごとに繰り返し、液晶表示パネル１１において１画面分の表示が行われる。
【００７１】
この場合、正規表示の場合と同様、コントローラ１６から左パネル部１１ａの各ソースドライバＳＤ１１〜ＳＤ１５に共通に入力されるスキャン方向信号ＤＩＲＬは、右から左へのスキャン（ＤＩＲＬ＝Ｈ）を指示し、コントローラ１６から右パネル部１１ｂの各ソースドライバＳＤ１６〜ＳＤ２０に共通に入力されるスキャン方向信号ＤＩＲＲは、左から右へのスキャン（ＤＩＲＲ＝Ｌ）を指示している。
【００７２】
一方、左パネル部１１ａの各水平ライン分の表示データは、データ６４１，データ６４２，…，データ１２８０の並びにて（図８参照）ソースドライバＳＤ１１〜ＳＤ１５に入力され、右パネル部１１ｂの各水平ライン分の表示データは、データ６４０，データ６３９，…，データ１の並びにて（図８参照）ソースドライバＳＤ１６〜ＳＤ２０に入力される。これにより、画像の左右が反転した正常な左右反転表示が行われる。
【００７３】
上記の左右反転表示動作についての各信号のタイミングチャートを図８に示す。同図において、ＣＫＬ、ＳＰ５、ＤａｔａＬ、ＬＳＬ、ＣＫＲ、ＳＰ６、ＤａｔａＲ、ＬＳＲ等の各信号を示す符号が意味するところは前述のとおりである。
【００７４】
ここで、ソースドライバＳＤ１１〜ＳＤ２０に対して表示データを出力するためにコントローラ１６が備える構成の一例について図９および図１０に基づいて説明する。
【００７５】
コントローラ１６は、図９に示すように、タイミングジェネレータ２１、メモリコントローラ２２、第１ラインメモリ２３、第２ラインメモリ２４およびマルチプレクサ２５を備えている。
【００７６】
タイミングジェネレータ２１は、水平同期信号ＨＳ、垂直同期信号ＶＳおよびクロックＣＬＫ等を入力し、メモリコントローラ２２の動作を制御するためのタイミング信号を出力する。メモリコントローラ２２は、タイミングジェネレータ２１から入力されるタイミング信号に基づいて第１ラインメモリ２３および第２ラインメモリ２４の書き込みおよび読み出し動作を制御する。マルチプレクサ２５は、第１ラインメモリ２３と第２ラインメモリ２４との何れか一方からの表示データを選択してソースドライバＳＤ１１〜ＳＤ２０へ出力する。
【００７７】
上記の構成において、先ず、第１ラインメモリ２３および第２ラインメモリ２４にはそれぞれ第１水平ライン分の表示データおよび第２水平ライン分の表示データが書き込まれる。これら表示データの並びは、図１０に示すように、データ１，データ２，…，データ１２８０となっている。
【００７８】
次に、第１ラインメモリ２３から表示データが読み出され、この表示データがマルチプレクサ２５を介してソースドライバＳＤ１１〜ＳＤ２０に第１水平ライン分の表示データとして入力される。次に、第２ラインメモリ２４から表示データが読み出され、この表示データがマルチプレクサ２５を介してソースドライバＳＤ１１〜ＳＤ２０に第２水平ライン分の表示データとして入力される。この第２ラインメモリ２４から表示データが読み出されている動作の間に、第１ラインメモリ２３に対して第３ライン分の表示データが書き込まれる。次に、第１ラインメモリ２３から第３ライン分の表示データが読み出され、この表示データがマルチプレクサ２５を介してソースドライバＳＤ１１〜ＳＤ２０に出力される。この第１ラインメモリ２３から表示データが読み出されている動作の間に、第２ラインメモリ２４に対して第４ライン分の表示データが書き込まれる。以下、同様にして、第１および第２ラインメモリ２３，２４に対する表示データの書き込み、第１および第２ラインメモリ２３，２４からの表示データの読み出しが繰り替えされる。
【００７９】
第１および第２ラインメモリ２３，２４からの表示データの読み出しにおいて、正規表示の場合には、図１０に示すように、左パネル部１１ａのソースドライバＳＤ１１〜ＳＤ１５用の表示データが、データ６４０，データ６３９，…，データ１の並びにて読み出され、右パネル部１１ｂのソースドライバＳＤ１６〜ＳＤ２０用の表示データが、データ６４１，データ６４２，…，データ１２８０の並びにて読み出される。また、左右反転表示の場合には、図１０に示すように、左パネル部１１ａのソースドライバＳＤ１１〜ＳＤ１５用の表示データがデータ６４１，データ６４２，…，データ１２８０の並びにて読み出され、右パネル部１１ｂのソースドライバＳＤ１６〜ＳＤ２０用のデータが、データ６４０，データ６３９，…，データ１の並びにて読み出される。
【００８０】
以上のように、本実施の形態の２分割駆動の液晶表示装置では、正規表示の場合と左右反転表示の場合とにおいて共に、コントローラ１６から最短の距離に位置する左パネル部１１ａのソースドライバＳＤ１５と右パネル部１１ｂのソースドライバＳＤ１６とに対して、スタートパルスＳＰを入力し、スタートパルスＳＰが入力されたこれら中央部のソースドライバＳＤ１５，ＳＤ１６から順次端部側のソースドライバＳＤ１１，ＳＤ２０に向かって表示データの取り込み動作をシフトして行く構成である。
【００８１】
また、上記のように、中央部のソースドライバＳＤ１５，ＳＤ１６に対してスタートパルスＳＰを入力することに伴い、正規表示の場合には、左パネル部１１ａのソースドライバＳＤ１１〜ＳＤ１５に供給する表示データの並び順序をラインメモリに書き込んだ場合の並び順序の逆向きとしている。また、左右反転表示の場合には、左パネル部１１ａのソースドライバＳＤ１１〜ＳＤ１５に供給する表示データの並び順序を正規表示において右パネル部１１ｂのソースドライバＳＤ１６〜ＳＤ２０に供給する表示データの並び順序とし、右パネル部１１ｂのソースドライバＳＤ１６〜ＳＤ２０に供給する表示データの並び順序を正規表示において左パネル部１１ａのソースドライバＳＤ１１〜ＳＤ１５に供給する表示データの並び順序としている。
【００８２】
これにより、正規表示と左右反転表示との何れの場合にも、コントローラ６から伝送クロックとスタートパルスＳＰとを伝送する場合の両者の伝送タイミング調整が容易となっている。
【００８３】
また、コントローラ１６は、左パネル部１１ａと右パネル部１１ｂとの境界線の中央部に位置することが理想的であるものの、これに限定されない。即ち、コントローラ１６は、例えばソースバスライン方向において上記境界線に対してコントローラ１６の少なくとも一部が重合する位置に設けられていてもよい。さらには、ソースバスライン方向において中央部のソースドライバＳＤ１５，ＳＤ１６の何れか一方に対してコントローラ１６の少なくとも一部が重合する位置に設けられていてもよい。
【００８４】
また、本実施の形態では、２分割駆動を行う液晶表示装置を例として説明しているが、４分割以上の複数分割駆動を行う表示装置にも対応可能である。但し、この場合には、実施の形態に示した２分割駆動の構成を複数組み合わせたものとなる。
【００８５】
また、本実施の形態の液晶表示装置では、コントローラ１６からソースドライバＳＤ１１〜ＳＤ１５およびＳＤ１６〜ＳＤ２０に対してそれぞれスキャン方向信号ＤＩＲＬおよびＤＩＲＲを入力している。しかしながら、正規表示と左右反転表示とにおいてスタートパルスＳＰを入力するソースドライバＳＤが同一であり、かつ表示データの取り込み動作を行う各ソースドライバＳＤの動作順序が一定であるので、コントローラ１６からソースドライバＳＤへのスキャン方向信号ＤＩＲＬおよびＤＩＲＲの入力を無くすことも可能である。
【００８６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８７】
本発明の表示装置の構成は、複数のソースドライバを備え、２分割駆動を行い、線順次駆動を行う種々の表示装置において利用可能である。
【図面の簡単な説明】
【００８８】
【図１】本発明の実施の一形態における２分割駆動を行う液晶表示装置を示すものであって、同液晶表示装置が正規表示を行う場合の概略の正面図である。
【図２】図１に示した液晶表示装置の原理を説明する２分割駆動を行わない液晶表示装置を示すものであって、同液晶表示装置が正規表示を行う場合の概略の正面図である。
【図３】図２に示した液晶表示装置が左右反転表示を行う場合の概略の正面図である。
【図４】図２に示した正規表示を行う液晶表示装置における各信号同士の位相関係を示すタイミングチャートである。
【図５】図３に示した左右反転表示を行う液晶表示装置における各信号同士の位相関係を示すタイミングチャートである。
【図６】図１に示した正規表示を行う液晶表示装置における各部の信号とソースドライバに入力される表示データの並び順序とを示すタイミングチャートである。
【図７】図１に示した液晶表示装置が左右反転表示を行う場合の概略の正面図である。
【図８】図７に示した左右反転表示を行う液晶表示装置における各部の信号とソースドライバに入力される表示データの並び順序とを示すタイミングチャートである。
【図９】図１に示したコントローラが備える、ソースドライバに対して表示データを出力するための構成を示すブロック図である。
【図１０】図９に示した構成における、表示データについてのラインメモリへの書き込み動作、ラインメモリからの読み出し動作を示す説明図である。
【図１１】従来の液晶表示装置を示す模式図である。
【図１２】従来の２分割駆動を行わない液晶表示装置を示すものであって、同液晶表示装置が正規表示を行う場合の概略の正面図である。
【図１３】図１２に示した液晶表示装置が左右反転表示を行う場合の概略の正面図である。
【図１４】従来の２分割駆動を行う液晶表示装置を示すものであって、同液晶表示装置が正規表示を行う場合の概略の正面図である。
【図１５】図１４に示した正規表示を行う液晶表示装置における各部の信号とソースドライバに入４力される表示データの並び順序とを示すタイミングチャートである。
【図１６】図１４に示した液晶表示装置が左右反転表示を行う場合の概略の正面図である。
【図１７】図１６に示した左右反転表示を行う液晶表示装置における各部の信号とソースドライバに入力される表示データの並び順序とを示すタイミングチャートである。
【図１８】図１２に示した正規表示を行う液晶表示装置における各信号同士の位相関係を示すタイミングチャートである。
【図１９】図１３に示した左右反転表示を行う液晶表示装置における各信号同士の位相関係を示すタイミングチャートである。
【符号の説明】
【００８９】
１１      液晶表示パネル
１１ａ    左パネル部（第１表示領域）
１１ｂ    右パネル部（第２表示領域）
１６      コントローラ（制御回路）
SD11〜SD20  ソースドライバ（駆動回路）
ＳＰ      スタートパルス（スタート信号）
【図１】
2006047425.tif 000003
【図２】
2006047425.tif 000004
【図３】
2006047425.tif 000005
【図４】
2006047425.tif 000006
【図５】
2006047425.tif 000007
【図６】
2006047425.tif 000008
【図７】
2006047425.tif 000009
【図８】
2006047425.tif 000010
【図９】
2006047425.tif 000011
【図１０】
2006047425.tif 000012
【図１１】
2006047425.tif 000013
【図１２】
2006047425.tif 000014
【図１３】
2006047425.tif 000015
【図１４】
2006047425.tif 000016
【図１５】
2006047425.tif 000017
【図１６】
2006047425.tif 000018
【図１７】
2006047425.tif 000019
【図１８】
2006047425.tif 000020
【図１９】
2006047425.tif 000021
【手続補正書】
【提出日】平成17年7月28日(2005.7.28)
【手続補正１】
【補正対象書類名】明細書
【補正対象項目名】００５１
【補正方法】変更
【補正の内容】
【００５１】
同図に示すように、液晶表示装置は、ソースドライバＳＤを複数個備えており、それらソースドライバＳＤにソースバスラインを均等に振り分けて接続している。ここでは、５個のソースドライバＳＤ１〜ＳＤ５が設けられ、各ソースドライバＳＤ１〜ＳＤ５がそれぞれ３８４本のソースバスラインと接続されているものとする。
【手続補正２】
【補正対象書類名】図面
【補正対象項目名】図１６
【補正方法】変更
【補正の内容】
【図１６】
2006047425.tif 000022